(57)【要約】【課題】人為的原因によるファクシミリの誤送信を防止する。【解決手段】ＣＰＵ１２は、通信部Ａ２１を介してファクシミリを送信する者から入力されたファクシミリ番号と、通信部Ｂ２２を介してファクシミリを受信する者から入力されたファクシミリ番号とが一致した場合のみファクシミリを送信する。【選択図】図１
2007181174.tif 000002
【特許請求の範囲】
【請求項１】
ファクシミリ装置に接続されたファクシミリ番号認証装置であって、
前記ファクシミリ装置がファクシミリ送信する送信データの送信先を特定する送信先情報を入力する入力手段と、
前記送信データの送信先を認証するための送信先認証データの入力を認証用端末装置に要請し、要請に応答して入力された送信先認証データに基づいて、前記入力手段が入力した送信先情報を認証する認証手段と、
前記認証手段による認証が成功したときに、前記入力された送信先情報で特定される送信先に、通信ネットワークを介して前記送信データを送信する送信手段と、
を備えることを特徴とするファクシミリ番号認証装置。
【請求項２】
前記送信先情報をあらかじめ記憶する記憶手段、をさらに備え、
前記認証手段は、前記記憶手段が記憶する送信先情報に基づいて、前記入力手段が入力した送信先情報を認証する、
ことを特徴とする請求項１に記載のファクシミリ番号認証装置。
【請求項３】
前記ファクシミリ装置に入力された送信先情報を受け取る受取手段、をさらに備え、
前記認証手段は、前記記憶手段が記憶する送信先情報に基づいて、前記受取手段が受け取った送信先情報を認証する、
ことを特徴とする請求項２に記載のファクシミリ番号認証装置。
【請求項４】
前記認証手段は、
前記入力手段が入力した送信先情報、または前記受取手段が受け取った送信先情報のうち、いずれの送信先情報を用いて認証するか選択可能とすること、
を特徴とする請求項３に記載のファクシミリ番号認証装置。
【請求項５】
前記認証手段は、
前記他のファクシミリ番号認証装置との通信を確立し、前記認証用端末装置との会話を可能とする接続手段、をさらに備え、
前記接続手段が前記認証用端末装置との会話を可能とした後、前記入力手段が入力した送信先情報を認証する、
ことを特徴とする請求項１乃至４のいずれか１項に記載のファクシミリ番号認証装置。
【請求項６】
前記認証手段は、
前記接続手段が確立した前記ファクシミリ番号認証装置と前記認証用端末装置との通信が切断されたことを検出する検出手段、をさらに備え、
前記送信手段に、前記送信データが前記ファクシミリ装置への送信が可能である旨通知させること、
を特徴とする請求項５に記載のファクシミリ番号認証装置。
【請求項７】
前記送信手段は、
前記認証手段による認証が成功したときに、前記送信データを前記認証された送信先に送信させること、
を特徴とする請求項１乃至６のいずれか１項に記載のファクシミリ番号認証装置。
【請求項８】
ファクシミリ送信の送信データと該送信データの送信先を特定する送信先情報とを対応付けて記憶する対応付記憶手段と、をさらに備え、
送信側の認証用端末装置と受信側の認証用端末装置とから、前記送信データの送信先を認証するための送信先データを受信する送信先データ受信手段と、
前記記憶手段に記憶しているファクシミリ装置の送信先情報を、前記送信側の認証用端末装置から受信した送信先データに基づいて認証する送信認証手段と、
前記送信認証手段で前記送信先情報が認証されたときに、前記受信側の認証用端末装置に送信先を認証するための送信先データの入力を要請し、要請に応答して入力された送信先データに基づいて、前記記憶手段に記憶しているファクシミリ装置の送信先情報を認証する受信認証手段と、
前記送信認証手段による認証と前記受信認証手段による認証とが共に成功したときに、前記記憶手段に記憶されている送信データを前記記憶手段に記憶されている送信先情報で特定される送信先に、通信ネットワークを介して送信する送信手段と、
を備えることを特徴とする請求項１乃至７のいずれか１項に記載のファクシミリ番号認証装置。
【請求項９】
前記ファクシミリ番号認証装置は、公衆回線網に接続されており、
前記対応付記憶手段は、前記ファクシミリ装置から送信先への送信データを受信し、受信した該送信データを送信先情報と対応付けて記憶する、
ことを特徴とする請求項８に記載のファクシミリ番号認証装置。
【請求項１０】
送信データを読み込む読込手段と、
をさらに備え、
前記記憶手段は、前記読込手段が読み込んだ送信データと、前記入力手段から入力された送信先情報と対応付けて記憶する、
ことを特徴とする請求項８に記載のファクシミリ番号認証装置。
【請求項１１】
前記対応付記憶手段は、前記ファクシミリ装置の前記送信先宛の発呼を受け、前記ファクシミリ装置との間で呼を確立して、前記送信先に代わって送信対象データを受信して記憶部に記憶し、受信完了ののち、呼を切断し、
前記送信認証手段は、前記送信側の認証用端末装置に送信先データの入力を要請するメッセージを出力し、入力された送信先データに基づいて、認証先情報を認証する、
ことを特徴とする請求項８乃至１０のいずれか１項に記載のファクシミリ番号認証装置。
【請求項１２】
前記受信認証手段は、
前記送信認証手段による送信先情報の認証後、前記送信側の認証用端末装置との通信を維持したまま前記受信側の認証用端末装置との通信を確立する手段と、
維持している前記送信側の認証用端末装置との通信と、確立した前記受信側の認証用端末装置との通信と、を接続することにより前記送信側の認証用端末装置と前記受信側の認証用端末装置との間の会話を可能とする手段と、
を備えることを特徴とする請求項８乃至１１のいずれか１項に記載のファクシミリ番号認証装置。
【請求項１３】
前記受信側の認証手段は、
前記送信側の認証用端末装置と前記受信側の認証用端末装置との通信が前記送信側の認証用端末装置により切断されたことを検出し、前記受信側の認証用端末装置に、受信側の認証データの入力を要請する手段と、
入力された前記受信側の認証データに基づいて、前記記憶手段に記憶しているファクシミリ装置の送信先を認証する手段と、
を備えることを特徴とする請求項１２に記載のファクシミリ番号認証装置。
【発明の詳細な説明】
【技術分野】
【０００１】
本発明は、ファクシミリの誤送信を防止するファクシミリ番号認証装置に関する。
【背景技術】
【０００２】
今般、個人情報保護法が施行され、本格的な情報漏洩対策が必要とされており、機密情報の漏洩を招くファクシミリ（ＦＡＸ）の誤送信の防止は早急かつ確実な解決が強く望まれる。
【０００３】
ＦＡＸの誤送信を防止する技術として、例えば、特許文献１には、発信端末に入力された番号と、受信端末から送信されるＣＳＩ信号内に予め設定された番号とを比較し、合致しない場合、データを送信しない通信端末装置が開示されている。
【０００４】
特許文献１に開示された通信端末装置は、回線交換機の誤動作等により誤った宛先にデータが送信されることを防ぐことを目的としている。そのため、利用者がＦＡＸ番号を伝達する際の伝達の誤り（言い間違い、聞き間違い）や、ＦＡＸ番号の入力の誤り等の人為的原因による誤送信を防止することはできなかった。
【０００５】
また、特許文献２には、ＦＡＸを送信する際に入力する番号が、予め電話番号が登録されたアドレス帳に存在しなかった場合は、送信動作しないモードを有するファクシミリ装置が開示されている。
【０００６】
しかし、アドレス帳に登録されていない送信先のＦＡＸ番号の入力の誤りや、番号の伝達の誤りでＦＡＸ番号そのものが間違えていた場合には、特許文献２のファクシミリ装置では誤送信を防止できない。
【特許文献１】特開平０６−１７８００４号公報
【特許文献２】特開２００５−２１７８７９号公報
【発明の開示】
【発明が解決しようとする課題】
【０００７】
本発明は、上記問題点に鑑みてなされたもので、人為的原因によるファクシミリの誤送信を防止することができるファクシミリ番号認証装置を提供することを目的とする。
【課題を解決するための手段】
【０００８】
上記目的を達成するため、本発明のファクシミリ番号認証装置は、
ファクシミリ装置に接続されたファクシミリ番号認証装置であって、
前記ファクシミリ装置がファクシミリ送信する送信データの送信先を特定する送信先情報を入力する入力手段と、
前記送信データの送信先を認証するための送信先認証データの入力を認証用端末装置に要請し、要請に応答して入力された送信先認証データに基づいて、前記入力手段が入力した送信先情報を認証する認証手段と、
前記認証手段による認証が成功したときに、前記入力された送信先情報で特定される送信先に、通信ネットワークを介して前記送信データを送信する送信手段と、
を備えることを特徴とする。
【０００９】
また、前記送信先情報をあらかじめ記憶する記憶手段、をさらに備え、
前記認証手段は、前記記憶手段が記憶する送信先情報に基づいて、前記入力手段が入力した送信先情報を認証する、ことを特徴としてもよい。
【００１０】
また、前記ファクシミリ装置に入力された送信先情報を受け取る受取手段、をさらに備え、
前記認証手段は、前記記憶手段が記憶する送信先情報に基づいて、前記受取手段が受け取った送信先情報を認証する、ことを特徴としてもよい。
【００１１】
また、前記認証手段は、
前記入力手段が入力した送信先情報、または前記受取手段が受け取った送信先情報のうち、いずれの送信先情報を用いて認証するか選択可能とすること、
を特徴としてもよい。
【００１２】
また、前記認証手段は、
前記他のファクシミリ番号認証装置との通信を確立し、前記認証用端末装置との会話を可能とする接続手段、をさらに備え、
前記接続手段が前記認証用端末装置との会話を可能とした後、前記入力手段が入力した送信先情報を認証する、ことを特徴としてもよい。
【００１３】
また、前記認証手段は、
前記接続手段が確立した前記ファクシミリ番号認証装置と前記認証用端末装置との通信が切断されたことを検出する検出手段、をさらに備え、
前記送信手段に、前記送信データが前記ファクシミリ装置への送信が可能である旨通知させること、を特徴としてもよい。
【００１４】
また、前記送信手段は、
前記認証手段による認証が成功したときに、前記送信データを前記認証された送信先に送信させること、を特徴としてもよい。
【００１５】
また、ファクシミリ送信の送信データと該送信データの送信先を特定する送信先情報とを対応付けて記憶する対応付記憶手段と、をさらに備え、
送信側の認証用端末装置と受信側の認証用端末装置とから、前記送信データの送信先を認証するための送信先データを受信する送信先データ受信手段と、
前記記憶手段に記憶しているファクシミリ装置の送信先情報を、前記送信側の認証用端末装置から受信した送信先データに基づいて認証する送信認証手段と、
前記送信認証手段で前記送信先情報が認証されたときに、前記受信側の認証用端末装置に送信先を認証するための送信先データの入力を要請し、要請に応答して入力された送信先データに基づいて、前記記憶手段に記憶しているファクシミリ装置の送信先情報を認証する受信認証手段と、
前記送信認証手段による認証と前記受信認証手段による認証とが共に成功したときに、前記記憶手段に記憶されている送信データを前記記憶手段に記憶されている送信先情報で特定される送信先に、通信ネットワークを介して送信する送信手段と、
を備えることを特徴としてもよい。
【００１６】
さらに、前記ファクシミリ番号認証装置は、公衆回線網に接続されており、
前記対応付記憶手段は、前記ファクシミリ装置から送信先への送信データを受信し、受信した該送信データを送信先情報と対応付けて記憶する、
ことを特徴としてもよい。
【００１７】
また、送信データを読み込む読込手段と、
をさらに備え、
前記記憶手段は、前記読込手段が読み込んだ送信データと、前記入力手段から入力された送信先情報と対応付けて記憶する、
ことを特徴としてもよい。
【００１８】
また、前記対応付記憶手段は、前記ファクシミリ装置の前記送信先宛の発呼を受け、前記ファクシミリ装置との間で呼を確立して、前記送信先に代わって送信対象データを受信して記憶部に記憶し、受信完了ののち、呼を切断し、
前記送信認証手段は、前記送信側の認証用端末装置に送信先データの入力を要請するメッセージを出力し、入力された送信先データに基づいて、認証先情報を認証する、ことを特徴としてもよい。
【００１９】
また、前記受信認証手段は、
前記送信認証手段による送信先情報の認証後、前記送信側の認証用端末装置との通信を維持したまま前記受信側の認証用端末装置との通信を確立する手段と、
維持している前記送信側の認証用端末装置との通信と、確立した前記受信側の認証用端末装置との通信と、を接続することにより前記送信側の認証用端末装置と前記受信側の認証用端末装置との間の会話を可能とする手段と、
を備えることを特徴としてもよい。
【００２０】
また、前記受信側の認証手段は、
前記送信側の認証用端末装置と前記受信側の認証用端末装置との通信が前記送信側の認証用端末装置により切断されたことを検出し、前記受信側の認証用端末装置に、受信側の認証データの入力を要請する手段と、
入力された前記受信側の認証データに基づいて、前記記憶手段に記憶しているファクシミリ装置の送信先を認証する手段と、を備えることを特徴としてもよい。
【発明の効果】
【００２１】
本発明によれば、ファクシミリを送信する際、送信側で入力された送信先情報と受信側で入力されたで送信先認証データとに基づいてファクシミリ番号を認証する。これにより、人為的原因によるファクシミリの誤送信を防止することができる。
【発明を実施するための最良の形態】
【００２２】
以下、本発明の実施形態に係るファクシミリ番号認証装置１０について説明する。
【００２３】
本実施の形態のファクシミリ番号認証装置１０は、図２に示すようにＦＡＸ装置３０（送信側）と公衆回線網５０と、に接続され、電話機７０（受信側）から入力されたＦＡＸ番号と、送信側で入力されたＦＡＸ番号とが一致すると、ＦＡＸ装置６０（受信側）にＦＡＸ送信する装置である。
【００２４】
続いて、ファクシミリ番号認証装置１０の構成を説明する。ファクシミリ番号認証装置１０は、図１に示すように、ＲＯＭ（Read Only Memory）１１と、ＣＰＵ（Central Processing Unit）１２と、ＲＡＭ（Random Access Memory）１３と、記憶装置１４と、通信部Ａ２１と、通信部Ｂ２２と、音声制御部２３と、通信制御部２４と、入力部２５と、音声入力部２６と、出力部２７と、音声出力部２８と、を備える。
【００２５】
通信部Ａ２１は、ＦＡＸ装置３０に接続され、ＦＡＸ装置３０にＦＡＸデータの送信を指示する信号等の通信を行うほか、送信側で入力されたＦＡＸ装置６０のＦＡＸ番号を受け取る。
【００２６】
通信部Ｂ２２は、公衆回線網５０に接続される。通信部Ｂ２２は、ＣＰＵ１２から指示を受け、電話機７０との呼の確立や、ＦＡＸ装置６０にＦＡＸデータを送信する等の処理を行う。また、通信部Ｂ２２は、公衆回線網５０を介して電話機７０からＦＡＸ番号の認証のために入力された認証情報を受信する。
【００２７】
ＲＯＭ１１は、ＣＰＵ１２の動作を制御するためのプログラムを記憶する。
【００２８】
ＣＰＵ１２は、ＲＯＭ１１に格納されているプログラムを実行することにより、後述する入力部２５に入力された認証情報と電話機７０に入力された認証情報に基づいて、両者が一致するか否かを認証する。そして、ＣＰＵ１２は、認証が成功すると、通信部Ｂ２２にＦＡＸを送信するよう指示する。
【００２９】
ＲＡＭ１３は、ＣＰＵ１２のワークエリアとして機能する。
【００３０】
記憶装置１４は、入力部２５から入力された電話機７０の電話番号Ｉ９とＦＡＸ装置６０のＦＡＸ番号Ｉ０とを対応付けて、図６（ａ）に示すようなテーブル形式で記憶する。
【００３１】
音声制御部２３は、ＣＰＵ１２の制御のもと、受信者が電話機７０にＦＡＸ番号の入力を要請するメッセージを通信部Ｂ２２に送る。
【００３２】
通信制御部２４は、通信部Ａ２１を制御して、ＦＡＸ装置３０との間で呼を確立する。また、通信制御部２４は、ＣＰＵ１２の制御のもと、通信部２１Ｂに電話機７０、ＦＡＸ装置６０への発呼、呼の維持、呼の切断、呼の接続をさせる。
【００３３】
入力部２５は、例えばプッシュボタン等から構成される。入力部２５は、ユーザの操作により入力されたＰＢ信号（Ｐｕｓｈ  Ｂｕｔｔｏｎ  Ｓｉｇｎａｌ）を、ＣＰＵ１２に送信する。
【００３４】
音声入力部２６は、例えば小型マイクロフォン等から構成され、ユーザの発声音を音声信号に変換して、音声制御部２３に送信する。
【００３５】
出力部２７は、例えば小型の液晶ディスプレイ等の表示装置から構成される。出力部２７は、入力部２５からＣＰＵ１２に送信されたＰＢ信号を、文字列に変換して表示する。
【００３６】
音声出力部２８は、例えば小型のスピーカ等から構成される。音声出力部２８は、電話機７０から通信部２２Ｂが受信した音声を出力する。
【００３７】
次に、上記構成のファクシミリ番号認証装置１０の動作を説明する。ファクシミリ番号認証装置１０は、音声通話受信処理、及びＦＡＸ受信処理を、以下に示す所定の手順に従って実行する。
まず、ユーザは、送信先の電話番号Ｉ９と送信先のＦＡＸ番号Ｉ０を入力部２５に入力し、ＦＡＸの送信を指示する。そして、ファクシミリ番号認証装置１０（特にＣＰＵ１２）は、入力された送信先電話番号Ｉ９及び送信先ＦＡＸ番号Ｉ０を受け付けると、図３に示す音声通話受信処理を開始する。
【００３８】
ＣＰＵ１２は、送信先電話番号Ｉ９と送信先のＦＡＸ番号Ｉ０とを、図６（ａ）に示すように対応付けて記憶装置１４に記憶する（ステップＳ１１）。そして、ＣＰＵ１２は、通信制御部２４を制御して、ステップＳ１１で入力された送信先の電話機７０の電話番号Ｉ９をダイヤルし、通信部Ｂ２２を介して相手先の電話機７０と呼を確立する（ステップＳ１２）。そして、電話機７０との呼が確立されると、ＣＰＵ１２は、音声制御部２３を制御して、受信者に受信側のＦＡＸ番号の入力を要請するガイダンスをさせ、そのガイダンスに従って受信者が入力したＦＡＸ番号データを、通信部Ｂ２２に受信するよう指示する（ステップＳ１３）。
ＣＰＵ１２は、受信者により入力されたＦＡＸ番号が、ステップＳ１１で送信したＦＡＸ番号Ｉ０と一致するか否かを判別する（ステップＳ１４）。これによりＦＡＸ番号を認証する。
ステップＳ１４で、受信者が入力したＦＡＸ番号が、送信者が入力したＦＡＸ番号Ｉ０と一致しないと判別した場合（ステップＳ１４；Ｎｏ）、送信者が入力したＦＡＸ番号Ｉ０が誤りであるか、受信者のＦＡＸ番号の入力の誤りである。即ち、ＦＡＸ番号の認証失敗である。
【００３９】
そこで、ＣＰＵ１２は、音声制御部２３を制御して、送信者が入力したＦＡＸ番号Ｉ０と、受信者が入力したＦＡＸ番号を電話機７０にアナウンスさせ、受信者に入力を誤ったか否かを確認させる。
また、ＣＰＵ１２は、音声制御部２３に、受信者にＦＡＸ番号を再入力するか否かを選択させるため、電話機７０に音声ガイダンスをさせる（ステップＳ１５）。
【００４０】
具体的には、ＣＰＵ１２は、ＦＡＸ番号を再入力する場合には、電話機の所定のキー（例えば、「１」キー）を押下する旨、電話機７０にアナウンスさせる。
また、ＦＡＸ番号を再入力しない場合は、電話機の所定のキー（例えば、「２」キー）を押下する旨、電話機７０にアナウンスさせる。
【００４１】
続いて、ＣＰＵ１２は、ＦＡＸ番号の再入力が選択されたか否かを判別する（ステップＳ１６）。
【００４２】
ＦＡＸ番号の再入力が選択された場合（ステップＳ１６；Ｙｅｓ）、ＣＰＵ１２は、受信者により再入力されたＦＡＸ番号が、送信者が入力したＦＡＸ番号Ｉ０と一致するか否かを判別するため、ステップＳ１４に処理を戻す。
【００４３】
ステップＳ１４、Ｓ１５、Ｓ１６の処理を繰り返すことで、受信者によるＦＡＸ番号の入力の誤りをなくすことができる。
【００４４】
ＦＡＸ番号Ｉ０の再入力がなかった場合（ステップＳ１６；Ｎｏ）、ＣＰＵ１２は、通信制御部２４に送信者との呼を切断させて、処理を終了する。
これにより、送信者がＦＡＸ番号を誤っていた場合、受信者はそれを把握できる。受信者は、改めて送信者に正しいＦＡＸ番号を通知等することができる。
このようにして、ＦＡＸ番号の伝達の誤りによる誤送信を防止することができる。
【００４５】
一方、ステップＳ１４で、受信者が入力したＦＡＸ番号が、送信者が入力したＦＡＸ番号Ｉ０と一致した場合（ステップＳ１４；Ｙｅｓ）、ＣＰＵ１２は、受信者のＦＡＸ装置６０のＦＡＸ番号であると認証する。そして、ＣＰＵ１２は、通信制御部２４を制御して、通信部Ｂ２２と電話機７０との呼を切断するよう通信部Ｂ２２に指示する（ステップＳ１７）。このステップＳ１７までの処理が終了すると、音声通話処理が終了する。
【００４６】
続いて、ファクシミリ番号認証装置１０は、図４に示すＦＡＸ通信処理を行う。ＣＰＵ１２は、通信制御部２４を制御して、認証したＦＡＸ番号Ｉ０をダイヤルし、通信部Ｂ２２を介して相手先のＦＡＸ装置６０と呼を確立する（ステップＳ２１）。ＣＰＵ１２は、ＦＡＸ装置６０との呼を確立すると、ＦＡＸ装置３０に対して、ＦＡＸ装置６０に送信データが送信可能な旨の信号を発信し、ＦＡＸ装置３０との呼を確立する（ステップＳ２２）。
【００４７】
そして、ＣＰＵ１２は、ステップＳ２１で確立した通信部Ｂ２２からＦＡＸ装置６０に対する呼とステップＳ２２で確立した通信部Ａ２１からＦＡＸ装置３０に対する呼とを接続することにより、ＦＡＸ装置３０とＦＡＸ装置６０との通信を可能とする（ステップＳ２３）。
【００４８】
その後、ＣＰＵ１２は、ＦＡＸ装置３０に対して、送信データを送信知る指示をする（ステップＳ２４）。そして、ＣＰＵ１２は、ＦＡＸ装置３０による送信データの送信が終わった旨の信号をＦＡＸ装置３０から受けると、通信制御部２４を制御して、通信部２２ＢにＦＡＸ装置３０とＦＡＸ装置６０との呼を切断させる（ステップＳ２５）。
【００４９】
以上のような音声通話処理、ＦＡＸ通信処理を行うことにより、ファクシミリ番号認証装置１０が行う全ての処理が終了する。
【００５０】
続いて、上述した音声通話受信、及びＦＡＸ受信処理の各処理を、図５に示す具体例に基づいて説明する。
【００５１】
図５に示す具体例では、ユーザが、受信側の電話番号ＡとＦＡＸ番号Ｂとをファクシミリ番号認証装置１０に入力し、電話番号ＡとＦＡＸ番号Ｂとはファクシミリ番号認証装置１０に記憶されている（１．１）。そして、ファクシミリ番号認証装置１０に電話番号Ａが入力されると、ファクシミリ番号認証装置１０は電話機７０との呼を確立する（１．２）。続いて、ファクシミリ番号認証装置１０は、受信者にＦＡＸ番号の入力を要請するアナウンスするメッセージを送信し電話機７０にそのメッセージを出力させる（１．３）。その後、アナウンスを受けた受信者が、電話機７０からＦＡＸ番号Ｂを入力する（１．４）。
その後、ファクシミリ番号認証装置１０は、入力されたＦＡＸ番号Ｂが、ファクシミリ番号認証装置１０に電話番号Ａと対応付けて蓄積されたＦＡＸ番号と一致するか否かを判別する（１．５）。
【００５２】
本実施例では、ユーザは電話番号Ａに対応付けられたＦＡＸ番号Ｂを入力しているので、ファクシミリ番号認証装置１０は、蓄積されたＦＡＸ番号とＦＡＸ番号Ｂとが一致するので、ＦＡＸ番号の認証が成功する。そして、ファクシミリ番号認証装置１０は、電話機７０との呼を切断する（１．６）。
【００５３】
さらにファクシミリ番号認証装置１０は、ＦＡＸ番号Ｂを発呼する（２．１）。そして、ファクシミリ番号認証装置１０は、ＦＡＸ装置３０との呼を確立する（２．２）。
【００５４】
その後、ファクシミリ番号認証装置１０は、ファクシミリ番号認証装置１０とＦＡＸ装置３０との呼及びファクシミリ番号認証装置１０とＦＡＸ装置６０との呼を接続する（２．３）。
【００５５】
そして、ファクシミリ番号認証装置１０は、ＦＡＸ装置３０にＦＡＸデータをＦＡＸ装置６０に送信する指示をする（２．４）。その後、ファクシミリ番号認証装置１０は、ＦＡＸデータの送信が終了すると、ＦＡＸ装置３０とＦＡＸ装置６０との回線を切断する（２．５）。
以上により、音声通話処理、ＦＡＸ通信処理の全ての処理が終了する。
【００５６】
上記実施の形態のファクシミリ番号認証装置１０は、ＦＡＸの送信時に受信者と送信者にＦＡＸ番号を入力させ、両者が入力した番号が一致するか否かを判別することにより受信者のＦＡＸ番号を認証する。これにより、送信者の入力の誤りや、送信者と受信者間の伝達の誤り等の人為的原因による誤送信を防止することができる。そして、これにより、ＦＡＸの誤送信による機密情報漏洩を防止することができる。
【００５７】
続いて、本発明に係るファクシミリ番号認証装置の他の実施の形態について説明する。上述したファクシミリ番号認証装置は１０、入力部２５、音声入力部２６、出力部２７、及び音声出力部２８を備える、例えば電話機の機能を含む専用装置である。しかし、このような専用装置に限らず、汎用の電話機を用いて受信者のＦＡＸ番号を認証することも可能である。即ち、図８に示すように、ファクシミリ番号認証装置１００と、電話機４０と、ＦＡＸ装置３０とを用いて、上述したファクシミリ番号認証装置１０と同様の機能を実現できる。図８に示すＦＡＸ装置３０、ＦＡＸ装置６０、電話機７０、公衆回線網５０は、図２に示すＦＡＸ装置３０、ＦＡＸ装置６０、電話機７０、公衆回線網５０と同様の構成を備える。
【００５８】
以下、この実施形態に係るファクシミリ番号認証装置１００について説明する。
【００５９】
本実施の形態のファクシミリ番号認証装置１００は、図８に示すようにＦＡＸ装置３０と電話機４０と公衆回線網５０とに接続される。ファクシミリ番号認証装置１００は、送信側のＦＡＸ装置３０から、送信用のＦＡＸデータを受取り、ＦＡＸ装置３０に代わって、送信先のＦＡＸ装置６０にＦＡＸデータを送信する装置である。
【００６０】
また、ファクシミリ番号認証装置１００は、図７に示すように、ＲＯＭ（Read Only Memory）１１と、ＣＰＵ（Central Processing Unit）１２０と、ＲＡＭ（Random Access Memory）１３と、記憶装置１４０と、通信部Ａ２１０と、通信部Ｂ２２０と、音声制御部２３０と、通信制御部２４０と、を備える。ＲＯＭ１１、ＲＡＭ１３、は図１に示すものと同様の構成を備える。
【００６１】
通信部Ａ２１０は、ＦＡＸ装置３０と電話機４０とに接続される。通信部Ａ２１０は、ＦＡＸ装置３０からＦＡＸを送信されると、送信先のＦＡＸ装置６０に代わってＦＡＸデータを受信する。また、送信先のＦＡＸ装置６０のＦＡＸ番号もそれと同時に受信する。
さらに、通信部Ａ２１０は、電話機４０から入力されたＦＡＸ番号を受信する。
【００６２】
通信部Ｂ２２０は、公衆回線網５０に接続される。通信部Ｂ２２０は、送信先ＦＡＸ番号の認証が完了すると、ＦＡＸ装置６０に代わって受信したＦＡＸデータを、公衆回線網５０を介してＦＡＸ装置６０に送信する。また、通信部Ｂ２２０は、公衆回線網５０を介して電話機７０からＦＡＸ番号の認証のために入力された番号を受信する。
【００６３】
ＣＰＵ１２は、ＲＯＭ１１に格納されているプログラムを実行することにより、電話機４０と電話機７０との入力情報に基づいてＦＡＸ番号を認証し、認証が成功するとＦＡＸを送信する。
【００６４】
記憶装置１４０は、ＦＡＸ装置３０から送信され、通信部Ａ２１０がＦＡＸ装置６０に代わって受信したＦＡＸデータＩ２０を、図１２（ａ）に示すようなテーブル形式で送信先のＦＡＸ番号Ｉ１０と対応付けて記憶する。また、ＦＡＸ番号Ｉ１０の認証のために電話機４０より入力された送信先電話番号Ｉ３０と送信先ＦＡＸ番号Ｉ４０とを図１２（ｂ）に示すように対応付けて記憶する。
【００６５】
音声制御部２３０は、電話機４０、７０による番号の入力を要請するメッセージをあらかじめ記憶し、ＣＰＵ１２０の制御のもと、メッセージを電話機４０、７０に出力する。
【００６６】
通信制御部２４０は、ＣＰＵ１２の制御のもと、発呼、呼の維持、呼の切断、呼の接続をする。
【００６７】
通信制御部２４０は、ＦＡＸ装置３０からＦＡＸデータの受信を完了すると、通信部Ａ２１０を制御して、ＦＡＸ装置３０との呼を切断する。
【００６８】
また、通信制御部２４０は、通信部Ａ２１０を制御して、ＦＡＸ装置３０との間で呼を確立する。また、通信制御部２４０は、電話機４０との呼を維持したまま、通信部Ｂ２２０を制御して、電話機７０を発呼し、電話機７０との呼を確立する。そして、維持した電話機４０との呼と、確立した電話機７０との呼と、を接続することにより、ユーザ同士の会話を可能とする。
【００６９】
また、通信制御部２４０は、送信先のＦＡＸ番号の認証が完了するとＦＡＸ装置６０を発呼し、ＦＡＸ装置６０に代わって受信したＦＡＸデータをＦＡＸ装置６０に送信する。
【００７０】
次に、上記構成のファクシミリ番号認証装置１００の動作を説明する。
まず、ユーザは、ＦＡＸ装置３０を操作して、ＦＡＸデータをＦＡＸ装置６０にＦＡＸ送信する。ファクシミリ番号認証装置１００（特にＣＰＵ１２０）は、ＦＡＸ装置３０から、ＦＡＸデータを受け付けると、図９に示す処理を実行する。
【００７１】
ＣＰＵ１２０は、通信部Ａ２１０を介してＦＡＸ装置３０からＦＡＸ装置６０の代わりにＦＡＸを受信すると、図１２（ａ）に示すように、送信先のＦＡＸ番号Ｉ１０と送信するＦＡＸデータＩ２０とを対応付けて記憶装置１４０に記憶する。ＦＡＸ番号Ｉ１０とＦＡＸデータＩ２０とを記憶すると、通信制御部２４０を制御して、ＦＡＸ装置３０との接続を切断する（ステップＳ１００）。
なお、記憶装置１４は、図１２（ａ）に示すように、複数のＦＡＸ番号Ｉ１０とＦＡＸデータＩ２０とを蓄積する。
【００７２】
図１１に示す具体例では、ＦＡＸの送信者が、ＦＡＸ装置３０にＦＡＸ番号Ｂを入力してＦＡＸを送信する（１０．１）。そして、ファクシミリ番号認証装置１００がＦＡＸを受信し、ＦＡＸ番号Ｂと、ＦＡＸデータを蓄積する（１０．２）。ＦＡＸ番号Ｂと、ＦＡＸデータを蓄積すると、ファクシミリ番号認証装置１００はＦＡＸ装置３０との接続を切断する（１０．３）。
【００７３】
また、ファクシミリ番号認証装置１００（特にＣＰＵ１２０）は、電話機４０から音声通話を受け付けると、図１０に示す処理を実行する。
【００７４】
ＣＰＵ１２０は、通信部Ａ２１０を介して音声通話を受け付けると、音声制御部２３０を制御して、送信者に送信先電話番号及び送信先ＦＡＸ番号の入力を促す音声ガイダンスをさせる。そして、入力された送信先電話番号Ｉ３０及び送信先ＦＡＸ番号Ｉ４０のデータを、図１２（ｂ）に示すように、記憶装置１４０に記憶する（ステップＳ１１０）。
【００７５】
図１１に示す具体例では、ＦＡＸの送信者が、電話機４０からファクシミリ番号認証装置１００を発呼する（２０．１）。そして、ファクシミリ番号認証装置１００が、送信先の電話番号とＦＡＸ番号の入力を促すアナウンスをする（２０．２）。アナウンスを受けた送信者が送信先の電話番号ＡとＦＡＸ番号Ｂを電話機４０から入力する（２０．３）。
【００７６】
ステップＳ１１０で送信先の電話番号Ｉ３０及び送信先のＦＡＸ番号Ｉ４０が入力されると、ＣＰＵ１２０は、送信者との呼を維持したまま、記憶装置１４０を参照し、ステップＳ１１０の処理で記憶されたＦＡＸ番号Ｉ１０の中に、ステップＳ１１０で入力された送信先のＦＡＸ番号Ｉ４０と一致するものがあるか否かを判別する（ステップＳ１２０）。これにより、ステップＳ１１０の処理で記憶されたＦＡＸ番号を認証する。
【００７７】
図１１に示す具体例では、ファクシミリ番号認証装置１００が、蓄積されたデータを参照してＦＡＸ番号Ｂと一致する番号があるか否かを判別する（２０．４）。
【００７８】
ステップＳ１１０で入力されたＦＡＸ番号Ｉ４０が、記憶装置１４０に記憶されていなかった場合（ステップＳ１２０；Ｎｏ）、入力されたＦＡＸ番号Ｉ４０が誤りであるか、ステップＳ１１０でＦＡＸ送信時に記憶装置１４０に記憶されたＦＡＸ番号Ｉ１０が誤りであり、ＦＡＸ番号の認証失敗である。
【００７９】
そこで、ＣＰＵ１２０は、入力されたＦＡＸ番号Ｉ４０を音声制御部２３０に音声でアナウンスさせ、送信者に入力を誤ったか否かを確認させる。
また、ＣＰＵ１２０は、音声制御部２３０に、送信者にＦＡＸ番号を再入力するか否かを選択させるための音声ガイダンスをさせる（ステップＳ１８０）。
【００８０】
続いて、ＣＰＵ１２０は、電話機７０からＦＡＸ番号Ｉ４０が再入力されたか否かを判別する（ステップＳ１９０）。
【００８１】
ＦＡＸ番号Ｉ４０が再入力された場合（ステップＳ１９０；Ｙｅｓ）、ＣＰＵ１２０は、ステップＳ１１０の処理で記憶されたＦＡＸ番号Ｉ１０の中に、再入力された送信先のＦＡＸ番号Ｉ４０と一致するものがあるか否かを判別するため、ステップＳ１２０に処理を戻す。
【００８２】
ステップＳ１２０、Ｓ１８０、Ｓ１９０の処理を繰り返すことで、送信者によるＦＡＸ番号の入力の誤りをなくすことができる。
【００８３】
ＦＡＸ番号の再入力がなかった場合（ステップＳ１９０；Ｎｏ）、ステップＳ１１０又はステップＳ１９０で入力されたＦＡＸ番号Ｉ４０は間違いでなく、またその番号は記憶装置１４０に記憶されていない。ＣＰＵ１２０は、通信制御部２４０に送信者との呼を切断させて、処理を終了する。
【００８４】
一方、ステップＳ１１０又はステップＳ１９０で入力されたＦＡＸ番号が、記憶装置１４０に記憶された番号の内の番号と一致した場合（ステップＳ１２０；Ｙｅｓ）、ＦＡＸ番号の認証成功である。さらに認証処理を進めるため、ＣＰＵ１２０は、送信者との呼を維持したまま、通信制御部２４０を制御して、ステップＳ１１０で入力された送信先の電話機７０の電話番号Ｉ３０をダイヤルさせて、通信部Ｂ２２０を介して相手先の電話機７０と呼を確立する（ステップＳ１３０）。
そして、電話機７０との呼が確立されると（ステップＳ１３０）、通信制御部２４０を制御して、送信者とファクシミリ番号認証装置１００との呼と、ファクシミリ番号認証装置１００と相手先との呼と、を接続させる（ステップＳ１４０）。
ここで、送信者は相手先（受信者）に送信確認の依頼等をする。
【００８５】
図１１に示す具体例では、ＦＡＸ番号Ｂはファクシミリ番号認証装置１００に蓄積されているので、認証が成功する。認証が成功すると、ファクシミリ番号認証装置１００が、入力された電話番号Ａを発呼する（２０．５）。そして、送信者と受信者の呼を接続する（２０．６）。送信者と受信側の呼が接続されると、送信者は受信者と通話し、送達確認の依頼をする（２０．７）。
【００８６】
ＣＰＵ１２０は、ステップＳ１４０で、送信者と受信者の呼を接続すると、送信者が呼を切断するのを待つ。送信者が、受信者に送信確認の依頼等した後、呼を切断すると、ＣＰＵ１２０は、受信者とファクシミリ番号認証装置１００との呼は維持したまま処理を再開する。
【００８７】
ＣＰＵ１２０は、音声制御部２３０を制御して、受信者に受信者のＦＡＸ番号の入力を要請する音声ガイダンスをさせる。そして受信者から入力されたＦＡＸ番号データを受信する（ステップＳ１５０）。
【００８８】
図１１に示す具体例では、送信者が送達確認の依頼が完了すると、通話を切断する（２０．８）。このとき、ファクシミリ番号認証装置１００と受信者との通話は維持する。送信者が通話を切断すると、ファクシミリ番号認証装置１００が、受信者にＦＡＸ番号の入力を要請するアナウンスをする（２０．９）。アナウンスを受けた受信者が、電話機７０からＦＡＸ番号Ｂを入力する（２０．１０）。
【００８９】
受信者によりＦＡＸ番号が入力されると、ＣＰＵ１２は、受信者により入力されたＦＡＸ番号が、ステップＳ１１で送信者により入力されＦＡＸ番号Ｉ４と一致するか否かを判別する（ステップＳ１６０）。これによりＦＡＸ番号を認証する。
【００９０】
図１１に示す具体例では、受信者からＦＡＸ番号Ｂが入力されると、ファクシミリ番号認証装置１００が、送信者から入力され、ファクシミリ番号認証装置１００に蓄積された番号と一致するか否かを判別する（２０．１１）。
【００９１】
ステップＳ１６０で、受信者が入力したＦＡＸ番号が、送信者が入力したＦＡＸ番号Ｉ４０と一致しない場合（ステップＳ１６０；Ｎｏ）、ＦＡＸ番号の認証失敗である。
【００９２】
そこで、ＣＰＵ１２０は、音声制御部２３０を制御して、送信者が入力したＦＡＸ番号Ｉ４０と、受信者が入力したＦＡＸ番号をアナウンスさせ、受信者に入力を誤ったか否かを確認させる。
また、ＣＰＵ１２０は、音声制御部２３０に、受信者にＦＡＸ番号を再入力するか否かを選択させるため音声ガイダンスをさせる（ステップＳ２００）。この処理は先に説明したステップＳ２０の処理と同様である。
【００９３】
続いて、ＣＰＵ１２０は、ＦＡＸ番号の再入力が選択されたか否かを判別する（ステップＳ２１０）。
【００９４】
ＦＡＸ番号の再入力が選択された場合（ステップＳ２１０；Ｙｅｓ）、ＣＰＵ１２０は、受信者により再入力されたＦＡＸ番号が、送信者が入力したＦＡＸ番号Ｉ４０と一致するか否かを判別するため、ステップＳ１６０に処理を戻す。
【００９５】
ステップＳ１６０、Ｓ２００、Ｓ２１０の処理を繰り返すことで、受信者によるＦＡＸ番号の入力の誤りをなくすことができる。
【００９６】
ＦＡＸ番号Ｉ４０の再入力がなかった場合（ステップＳ２１０；Ｎｏ）、ＣＰＵ１２０は、通信制御部２４０に送信者との呼を切断させて、処理を終了する。
これにより、送信者がＦＡＸ番号を誤って認識していた場合、受信者はそれを把握できる。受信者は、改めて送信者に正しいＦＡＸ番号を通知等することができる。
このようにして、ＦＡＸ番号の伝達の誤りによる誤送信を防止することができる。
【００９７】
一方、ステップＳ１６０で入力されたＦＡＸ番号が、送信者が入力したＦＡＸ番号Ｉ４０と一致した場合（ステップＳ１６０；Ｙｅｓ）、受信者のＦＡＸ装置６０のＦＡＸ番号であるとの認証が完了する。ＣＰＵ１２０は、通信制御部２４０を制御して、受信者の呼を切断する。そして、さらに通信制御部２４０を制御して、認証したＦＡＸ番号Ｉ１０をダイヤルさせて、通信部Ｂ２２０を介してステップＳ１１０で記憶したＦＡＸデータＩ２０を送信する（ステップＳ１７０）。ＦＡＸデータＩ２０の送信が終わると、通信制御部２４０を制御してＦＡＸ装置６０との呼を切断する。そして、記憶装置１４０から送信したＦＡＸのデータＩ１０〜Ｉ４０を削除する（ステップＳ２２０）。
【００９８】
図１１に示す具体例では、送信側で入力されたＦＡＸ番号と受信側のＦＡＸ番号Ｂとが一致するので、ＦＡＸ番号の認証が成功する。そして、ファクシミリ番号認証装置１００が、受信者との通話を切断し（２０．１２）、ＦＡＸ番号Ｂに発呼して、蓄積したＦＡＸデータをＦＡＸ装置６０に送信する（２０．１３）。
【００９９】
なお、この発明は上記実施の形態に限定されず、種々の変形及び応用が可能である。
【０１００】
上記実施の形態では、ＦＡＸの送信者は、自らの意志で電話機４０からファクシミリ番号認証装置１００に発呼したが、ＦＡＸの送信データを受信したときに、電話機４０を発呼し、ＦＡＸの送信者にファクシミリ番号の認証を促してもよい。
【０１０１】
また、上記実施の形態のファクシミリ番号認証装置１００は、送信者からの音声通話を受け付けることにより、ＦＡＸ番号を認証する処理を開始した。図１３に示すように、ファクシミリ番号認証装置１００にキーボード３１０と、ＬＣＤ（液晶画面）３２０と、を備え付け、キーボード３１０の所定のキーが押下されることによりＦＡＸ番号を認証する処理を開始し、入力した番号が表示されるＬＣＤ３２０を確認しながらキーボード３１０によって番号を入力するようにしてもよい。
また、ファクシミリ番号認証装置１００に、文章を読み取るスキャナ２９０を備え付けて、ＦＡＸ装置を介さず文章データを読み取り可能にしてもよい。
【０１０２】
上記実施の形態では、ファクシミリ番号認証装置１００は電話機によって電話番号等の入力を受けていたが、固定電話に限らず、携帯電話やＰＣその他の端末によって電話番号等の入力を受けるようにしてよい。
【０１０３】
さらに、上記実施の形態では、ファクシミリ番号認証装置１００は公衆回線網に接続されていたが、インターネット網に接続し、インターネットＦＡＸへの送信を認証してもよい。
【０１０４】
また、上記実施の形態では、ＣＰＵ１２０が実行するプログラムは、ＲＯＭ１１に記憶されていたが、予め任意の記憶媒体に記憶したり、ネットワークを介して任意の記憶媒体に記憶するようにしてもよい。
【０１０５】
また、ＦＡＸ装置３０と電話機４０にかえてハンドセット（受話器）付きＦＡＸ装置を接続する場合においては、図１１において、（１０．３）ＦＡＸ切断することなく、ファクシミリ番号認証装置１００へ宛先電話番号を入力させることで、（２０．４）番号一致をすることなく、（２０．５）電話番号呼び出しを行うように構成してもよい。
【図面の簡単な説明】
【０１０６】
【図１】本発明の実施の形態に係るファクシミリ番号認証装置の全体構成を示すブロック図である。
【図２】図１に示すファクシミリ番号認証装置を接続した通信網を示すブロック図である。
【図３】音声通話時のファクシミリ番号認証装置の処理を示すフローチャートである。
【図４】ＦＡＸ通信時のファクシミリ番号認証装置の処理を示すフローチャートである。
【図５】ＦＡＸ番号の認証の具体例を説明するための図である。
【図６】記憶装置に記憶されるレコードの一例を示す図である。
【図７】ファクシミリ番号認証装置と電話機とを別個の筐体とした場合のファクシミリ番号認証装置の全体構成を示す図である。
【図８】図７に示すファクシミリ番号認証装置を接続した通信網を示す図である。
【図９】図７に示すファクシミリ番号認証装置のＦＡＸ通信時の処理を示すフローチャートである。
【図１０】図７に示すファクシミリ番号認証装置の音声通話時の処理を示すフローチャートである。
【図１１】図７に示すファクシミリ番号認証装置のＦＡＸ番号の認証の具体例を説明するための図である。
【図１２】図７に示すファクシミリ番号認証装置の記憶装置に記憶されるレコードの一例を示す図である。
【図１３】図７に示すファクシミリ番号認証装置の全体構成の一例を示すブロック図である。
【符号の説明】
【０１０７】
１０  ファクシミリ番号認証装置
１１  ＲＯＭ
１２  ＣＰＵ
１３  ＲＡＭ
１４  記憶装置
２１  通信部Ａ
２２  通信部Ｂ
２３  音声制御部
２４  通信制御部
２５ 入力部
２６ 音声入力部
２７ 出力部
２８ 音声出力部
２９  スキャナ
３１  キーボード
３２  ＬＣＤ
３０  ＦＡＸ装置（送信側）
４０  電話機（送信側）
５０  公衆回線網
６０  ＦＡＸ装置（受信側）
７０  電話機（受信側）
【図１】
2007181174.tif 000003
【図２】
2007181174.tif 000004
【図３】
2007181174.tif 000005
【図４】
2007181174.tif 000006
【図５】
2007181174.tif 000007
【図６】
2007181174.tif 000008
【図７】
2007181174.tif 000009
【図８】
2007181174.tif 000010
【図９】
2007181174.tif 000011
【図１０】
2007181174.tif 000012
【図１１】
2007181174.tif 000013
【図１２】
2007181174.tif 000014
【図１３】
2007181174.tif 000015